(57)【特許請求の範囲】
【請求項１】
前面パネル、背面パネル及び左右の側面パネルからなる胴部の上下を天面パネルと底面パネルで閉鎖される偏平状の箱であって、前面パネルにはその中央を真っ直ぐに横断する折線が設けられるとともに、その下辺寄りのところを横断する状態で線状のスリットを形成するためのミシン目線が設けられており、背面パネルにはパウチ取出し用の開封部が破断線により区画されており、左右の側面パネルにはそれぞれ前面パネルの折線の端から延びて背面パネルの開封部に繋がるミシン目線が設けられていることを特徴とするパウチ包装箱。
【請求項２】
パウチ取出し用の開封部が、背面パネルの中程から下辺に近接するところまで至る開口を形成するように破断線により区画されていることを特徴とする請求項１に記載のパウチ包装箱。
【請求項３】
前面パネル、背面パネル及び左右の側面パネルからなる胴部の上下を天面パネルと底面パネルで閉鎖される偏平状の箱であって、前面パネルにはその中央を真っ直ぐに横断する折線が設けられるとともに、その下辺寄りのところを横断する状態で小幅のスリットを形成するためのジッパーが設けられており、背面パネルにはパウチ取出し用の開封部が破断線により区画されており、左右の側面パネルにはそれぞれ前面パネルの折線の端から延びて背面パネルの開封部に繋がるミシン目線が設けられていることを特徴とするパウチ包装箱。
【請求項４】
パウチ取出し用の開封部が、背面パネルの中程から下辺に近接するところまで至る開口を形成するように破断線により区画されていることを特徴とする請求項３に記載のパウチ包装箱。
【発明の詳細な説明】
【技術分野】
【０００１】
本発明は、流動状の食品などを入れたパウチを収納して販売するためのパウチ包装箱に関する。
【背景技術】
【０００２】
従来より、調理済みのレトルトカレーなど流動状の食品をパウチ（包装袋）に入れて販売している商品が数多く知られている。この場合、食品を封入したパウチのみの形態で販売されることもあるが、多くの場合、パウチの保形性や表示等のデザイン性、及び衛生面などから、偏平な外装用の包装箱に収納して販売されている。
【先行技術文献】
【特許文献】
【０００３】
【特許文献１】特開２００１−３９４７６号公報
【特許文献２】特開２００２−１９７７６号公報
【特許文献３】特開２００３−１７０９３０号公報
【特許文献４】特開２００６−４４６９６号公報
【特許文献５】特開２０１０−１８３０６号公報
【発明の概要】
【発明が解決しようとする課題】
【０００４】
流動状の食品を封入したパウチは、実際に使用するに当たり、傾けて流し出した後の残量が気になるという問題を抱えている。特にひき肉やタマネギなどの小さな食材はパウチの中に残りやすい。パウチから内容物を残さず絞り出そうとしても、パウチは手の幅よりも広く、手そのものに凹凸があるのでパウチ全体を綺麗にしごくことは困難である。しごくための専用の道具が市販されているので、これを準備しておいたり、菜箸で代用することもあるが、必要なときに必ずしもそばにあるとは限らない。
【０００５】
本発明は、上記のような事情に鑑みてなされたものであり、その目的とするところは、パウチに収納した流動状の内容物を残さず取り出すことのできる機能を有したパウチ包装箱を提供することにある。
【課題を解決するための手段】
【０００６】
上記の目的を達成するため、本発明のパウチ包装箱は、前面パネル、背面パネル及び左右の側面パネルからなる胴部の上下を天面パネルと底面パネルで閉鎖される偏平状の箱であって、前面パネルにはその中央を真っ直ぐに横断する折線が設けられるとともに、その下辺寄りのところを横断する状態で線状のスリットを形成するためのミシン目線が設けられており、背面パネルにはパウチ取出し用の開封部が破断線により区画されており、左右の側面パネルにはそれぞれ前面パネルの折線の端から延びて背面パネルの開封部に繋がるミシン目線が設けられていることを特徴とする。
【０００７】
そして、このパウチ包装箱は、パウチ取出し用の開封部が、背面パネルの中程から下辺に近接するところまで至る開口を形成するように破断線により区画されていることが好ましい。
【０００８】
また、同様の目的を達成するため、本発明のパウチ包装箱は、前面パネル、背面パネル及び左右の側面パネルからなる胴部の上下を天面パネルと底面パネルで閉鎖される偏平状の箱であって、前面パネルにはその中央を真っ直ぐに横断する折線が設けられるとともに、その下辺寄りのところを横断する状態で小幅のスリットを形成するためのジッパーが設けられており、背面パネルにはパウチ取出し用の開封部が破断線により区画されており、左右の側面パネルにはそれぞれ前面パネルの折線の端から延びて背面パネルの開封部に繋がるミシン目線が設けられていることを特徴とする。
【０００９】
そして、このパウチ包装箱も、パウチ取出し用の開封部が、背面パネルの中程から下辺に近接するところまで至る開口を形成するように破断線により区画されていることが好ましい。
【発明の効果】
【００１０】
本発明のパウチ包装箱は、背面パネルに開口を形成して中のパウチを取り出し、そのパウチから内容物を流し出した後、前面パネルの底部付近にスリットを形成するとともに前面パネルの中央の折線のところで箱を二つ折り状態としてから、内容物が残ったパウチをスリットに通し、そのパウチを箱の天部と底部とで挟んでしごくことにより、パウチから残りの内容物を絞り出せるので、専用の道具や菜箸などを準備することなく、パウチの内容物を残さず取り出すことができる。
【００１１】
そして、背面パネルの中程から下辺に近接するところまで至る開口を形成するように破断線により開封部を区画しておくことにより、パウチの箱からの取出しが簡単になるとともに、パウチをスリットに通す操作が容易になり、またパウチを引っ張ってしごく操作が容易になる。
【図面の簡単な説明】
【００１２】
【図１】本発明に係るパウチ包装箱の一例を示す斜視図である。
【図２】同じく裏側から見た状態で示す斜視図である。
【図３】図１のパウチ包装箱を組み立てるブランクの展開図である。
【図４】図１のパウチ包装箱の使い方を示す説明図である。
【図５】図１のパウチ包装箱の使用状態を示す説明図である。
【図６】図１のパウチ包装箱の別の使用状態を示す説明図である。
【図７】本発明に係るパウチ包装箱の別の例を示す斜視図である。
【図８】図７のパウチ包装箱を組み立てるブランクの展開図である。
【図９】図７のパウチ包装箱の使い方を示す説明図である。
【発明を実施するための形態】
【００１３】
次に、本発明の実施の形態について図面を参照しながら詳細に説明する。
【００１４】
図１と図２にそれぞれ表側と裏側を示すパウチ包装箱Ａ1 は、図３に展開図を示す一枚のブランクＢ1 を組み立てて形成される。
【００１５】
パウチ包装箱Ａ1 を形成するブランクＢ1 は、板紙を打ち抜いて形成されたもので、図３に示すように、前面パネル１、背面パネル２及び左右の側面パネル３，４がそれぞれ縦方向の折線を介して連設しており、さらに背面パネル２には貼合パネル５が連設している。また、前面パネル１の上下には天面パネル６と底面パネル７が連設され、背面パネル２の上下には天面内側パネル８と底面内側パネル９が連設されており、側面パネル３の上下には折込み片１０，１１が連設され、側面パネル４の上下には折込み片１２，１３が連設されている。
【００１６】
前面パネル１には、その中央を真っ直ぐに横断する折線ａが設けられており、その下辺寄りのところを横断する状態で線状のスリットを形成するためのミシン目線ｂが下方に僅かに湾曲する状態で設けられている。
【００１７】
背面パネル２には、パウチ取出し用の開封部２ａが破断線αにより区画されている。図示のブランクＢ1 では、背面パネル２の中央両サイド付近から下辺に向かう半円と上辺に向かう三角形とを組み合わせた形状で、かつ三角形の先が指先サイズの半円となった全体が扇形状の開封部２ａが周回する破断線αで囲まれた状態になっている。これにより、パウチ取出し用の開封部２ａは、背面パネル２の中程から下辺に近接するところまで至る開口を形成するように破断線αにより区画されている。ここでは、パウチの挿入しやすさを考慮して、扇形状の開封部２ａを区画する大きな半円は、前面パウチ１のミシン目線ｂに対応するところまで膨らんだ形状としている。
【００１８】
左右の側面パネル３，４には、それぞれ前面パネル１の折線ａの端から延び、これらを横断するミシン目線ｃが設けられおり、貼合パネル５にも同じ位置にミシン目線ｃが設けられている。そして、背面パネル２には、側面パネル３のミシン目線ｃと貼合パネル５のミシン目線ｃを延長した状態で、開封部２ａに繋がるミシン目線ｃが設けられている。
【００１９】
図３のブランクＢ1 を組み立てる箱の中にパウチを収納して図１及び図２に示すパウチ包装箱Ａ1 を形成するが、第一段階として、図３のブランクＢ1 をサック貼りし、これを複数まとめて充填工程に供給する。具体的には、ブランクＢ1 を背面パネル２と側面パネル３の境界、及び前面パネル１と側面パネル４の境界で折り曲げ、貼合パネル５の表側と側面パネル４の裏側とを糊付けして折り畳む。このサック貼り状態で折り畳んだブランクを複数枚まとめて充填工程に送り、そこでパウチを入れつつ図１及び図２に示すパウチ包装箱Ａ1 を組み立てる。
【００２０】
充填工程では、サック貼りしたブランクを起こし、前面パネル１、背面パネル２及び左右の側面パネル３，４からなる胴部を形成してから、上下いずれかの端部を閉じてパウチを収納した後、残った法の端部を閉じる。天部を閉じるには、折込み片１０，１２を内側に折り込んでから、天面内側パネル８を折り曲げてその上から天面パネル６を貼り合わせる。また、底部を閉じるには、折込み片１１，１３を内側に折り込んでから、底面内側パネル９を折り曲げてその上から底面パネル７を貼り合わせる。これにより、図１及び図２に示すパウチ包装箱Ａ1 が形成される。
【００２１】
このようにして形成されたパウチ包装箱Ａ1 は、段ボール箱でスーパーマーケットなどの販売店まで搬送され、店頭にて陳列販売に供される。
【００２２】
消費者は、このパウチ包装箱Ａ1 を使用するに際し、背面パネル２に開口を形成して中のパウチを取り出す。すなわち、開封部２ａの三角形の先にある半円部分を指先で押し破り、そのまま引き上げることで破断線αに沿って開封部２ａを取り除き、そこからパウチを取り出す。そして、取り出したパウチを必要に応じて加熱した後、開封して大まかな内容物を流し出す。
【００２３】
一方、図４に示すように、空になった箱の前面パネル１にあるミシン目線ｂを破断して線状のスリットＳ1 を形成するとともに、前面パネル１の中央の折線ａのところで箱を二つ折り状態とする。このとき、左右の側面パネル３，４にはそれぞれ前面パネル１の折線の端から延びて背面パネル２の開封部２ａに繋がるミシン目線ｃが設けられているので、このミシン目線ｃを破断して箱を二つ折りすることができる。なお、パウチを取り出すときに箱を二つ折り状態にしてもよく、そうすれば中のパウチを簡単に取り出すことができる。
【００２４】
このように、箱にスリットＳ1 を形成し、二つ折り状態にした後、図５又は図６に示すように、内容物が残ったパウチＰをスリットＳ1 に通し、そのパウチＰを箱の天部と底部とで挟んでしごくことにより、パウチＰから残りの内容物を絞り出すことができる。図５はパウチＰをスリットＳ1 の幅一杯に挟んで引っ張った状態を示し、図６はパウチＰを縦方向に二つ折りしたものをスリットＳ1 の中程に挟んで引っ張った状態を示している。
【００２５】
このパウチ包装箱Ａ1 では、パウチ取出し用の開封部２ａが、背面パネル２の中程から下辺に近接するところまで至る開口を形成するように大きな半円状の破断線αにより区画されているので、二つ折り状態としたとき、パウチＰをスリットＳ1 に容易に通すことができ、しかも、通したパウチＰをスリットＳ1 の近くで把持して引っ張ることができる。また、スリットＳ1 は下方に僅かに湾曲する状態になるので、真っ直ぐに比べると、パウチＰを差し込みやすくなっている。
【００２６】
図７に示すパウチ包装箱Ａ2 は、図１及び図２に示すパウチ包装箱Ａ1 の変形例であり、図８に展開図を示す一枚のブランクＢ2 を組み立てて形成され、裏側から見た状態は図２に示すのと略同じである。
【００２７】
このブランクＢ2 は、図３に示したブランクＢ1 と略同じ構成をしているが、前面パネル１の下辺寄りのところを横断するミシン目線を設けるかわりに、前面パネル１の下辺寄りのところを横断する状態で小幅のスリットを形成するためのジッパーＺを設けている点が異なる。そして、パウチの挿入しやすさを考慮して、背面パネル２における扇形状の開封部２ａを区画する大きな半円は、ジッパーＺの下端に届くところまで膨らんだ形状としている。すなわち、背面パネル２の開封部２ａは、図３のブランクＢ1 に比べて若干大きなサイズになっている。
【００２８】
このパウチ包装箱Ａ2 は、図９に示すように、空になった箱の前面パネル１にあるジッパーＺを破断して小幅のスリットＳ2 を形成するとともに、前面パネル１の中央の折線ａのところで箱を二つ折り状態とする。そして、図５又は図６に示すのと同様、内容物が残ったパウチＰをスリットＳ2 に通し、そのパウチＰを箱の天部と底部とで挟んでしごくことにより、パウチＰから残りの内容物を絞り出すことができる。このパウチ包装箱Ａ2 の場合、スリットＳ2 に幅があるので、パウチＰが通しやすくなる。このようなスリットは、設ける場所やパウチの中身に応じてその幅を適宜決めればよいし、予め所定の幅でスリットを開けてあっても構わない。
【００２９】
以上、本発明を実施するための形態について詳細に説明してきたが、本発明によるパウチ包装箱は、上記の形態に何ら限定されるものではなく、本発明の趣旨を逸脱しない範囲において種々の変更が可能であることは当然のことである。
【００３０】
また、パウチの内容物は、レトルトカレーを始めとする各種の食品が好適であるが、これに限るものではなく、パウチの端を破断して傾けただけでは全部が流れ出ない流動状のものであれば何でもよい。
【符号の説明】
【００３１】
Ａ1 ，Ａ2   パウチ包装箱
Ｂ1 ，Ｂ2   ブランク
Ｐ  パウチ
１  前面パネル
２  背面パネル
２ａ  開封部
３，４  側面パネル
５  貼合パネル
６  天面パネル
７  底面パネル
８  天面内側パネル
９  底面内側パネル
１０〜１３  折込み片
ａ  折線
ｂ  ミシン目線
ｃ  ミシン目線
α  破断線
Ｓ1 ，Ｓ2   スリット
Ｚ  ジッパー
【図１】
0005413740.tif 000002
【図２】
0005413740.tif 000003
【図３】
0005413740.tif 000004
【図４】
0005413740.tif 000005
【図５】
0005413740.tif 000006
【図６】
0005413740.tif 000007
【図７】
0005413740.tif 000008
【図８】
0005413740.tif 000009
【図９】
0005413740.tif 000010